(57)【特許請求の範囲】
【請求項１】
利用者が便座に座っていることを検出するとデータ処理手段に検出信号を出力する検出手段と、
該検出手段に接続されたデータ処理手段とを備え、
該データ処理手段が、
利用者のトイレの利用回数および予め設定された利用者のトイレ使用時間の目安となる基準時間Ｔ１を記憶し、
前記検出手段からの検出信号に基づき利用者が便座に座っているか否かを判断し、
利用者が便座に座っている利用時間Ｔ２を測定し、
測定した利用時間Ｔ２が前記基準時間Ｔ１を越えている場合には記憶している利用回数に１を加算して新たな利用回数として記憶し、
記憶した新たな利用回数を表示する
ことを特徴とするトイレセンサ装置。
【請求項２】
操作者の操作に応じてリセット信号を前記データ処理手段に出力するリセット手段を更に備え、
前記データ処理手段は、
前記リセット手段からのリセット信号が入力すると、記憶している利用回数をリセットする
ことを特徴とする請求項１に記載のトイレセンサ装置。
【請求項３】
利用者が便座に座っていることを検出するとデータ処理手段に検出信号を出力する検出手段と、
該検出手段に接続されたデータ処理手段とを備え、
該データ処理手段が、
利用者のトイレの利用時間ＴＳおよび予め設定された利用者のトイレ使用時間の目安となる基準時間Ｔ１を記憶し、
前記検出手段からの検出信号に基づき利用者が便座に座っているか否かを判断し、
利用者が便座に座っている利用時間Ｔ２を測定し、
測定した利用時間Ｔ２が前記基準時間Ｔ１を越えている場合には測定した利用時間Ｔ２を記憶している利用時間ＴＳに加算して新たな利用時間ＴＳとして記憶し、
記憶した新たな利用時間を表示する
ことを特徴とするトイレセンサ装置。
【請求項４】
操作者の操作に応じてリセット信号を前記データ処理手段に出力するリセット手段を更に備え、
前記データ処理手段は、
前記リセット手段からのリセット信号が入力すると、記憶している利用時間ＴＳをリセットする
ことを特徴とする請求項３に記載のトイレセンサ装置。
【請求項５】
利用者が便座に座っていることを検出するとデータ処理手段に検出信号を出力する検出手段と、
該検出手段に接続されたデータ処理手段とを備え、
該データ処理手段が、
利用者のトイレの利用回数と利用時間ＴＳおよび予め設定された利用者のトイレ使用時間の目安となる基準時間Ｔ１を記憶し、
前記検出手段からの検出信号に基づき利用者が便座に座っているか否かを判断し、
利用者が便座に座っている利用時間Ｔ２を測定し、
測定した利用時間Ｔ２が前記基準時間Ｔ１を越えている場合には、記憶している利用回数に１を加算して新たな利用回数として記憶するとともに、測定した利用時間Ｔ２を記憶している利用時間ＴＳに加算して新たな利用時間ＴＳとして記憶し、
記憶した新たな利用回数及び利用時間を表示する
ことを特徴とするトイレセンサ装置。
【請求項６】
操作者の操作に応じてリセット信号を前記データ処理手段に出力するリセット手段を更に備え、
前記データ処理手段は、
前記リセット手段からのリセット信号が入力すると、記憶している利用回数及び利用時間ＴＳをリセットする
ことを特徴とする請求項５に記載のトイレセンサ装置。
【請求項７】
前記リセット手段は、
操作が許可されている操作者の識別情報を照合情報として予め記憶し、
操作者が識別情報を入力すると、当該識別情報を照合情報と照合し、両者が一致したときにリセット信号を出力する
ことを特徴とする請求項２、４、６いずれか一項に記載のトイレセンサ装置。
【請求項８】
前記リセット手段は、
複数の操作スイッチから構成され、
この複数の操作スイッチが同時に操作されるか、あるいはこの複数の操作スイッチが同時に所定時間以上連続して操作される場合にリセット信号を出力することを特徴とする請求項２、４、６いずれか一項に記載のトイレセンサ装置。
【発明の詳細な説明】
【０００１】
【発明の属する技術分野】
本発明は、トイレに設置するセンサ装置に関するものであり、特に病院、特別養護老人ホーム等の老人介護施設、在宅介護等において、利用者、例えば、被介護者や児童のトイレの利用時間および利用回数を自動的に測定するトイレセンサ装置に関するものである。
【０００２】
【従来の技術】
従来、病院や老人介護施設（以下「老人ホーム」という）などの施設では、介護者が定期的に行う巡回の際に被介護者にトイレの利用回数や利用時間を聞いて記録を取り、被介護者の健康管理を図る一資料としている。
【０００３】
【発明が解決しようとする課題】
このように、従来、病院や老人ホームなどの施設では、
▲１▼痴呆性の老人や児童が一人で排便を行う場合には、その記録を自動的に取ることができず、しかも、トイレの利用回数や利用時間の介護者への報告も被介護者の不確かな記憶に頼るものであるため、正確な記録を取ることができない；
▲２▼排便の度に被介護者がインタホン等を利用して介護者に連絡し記録を取ることも可能であるが、この場合には、被介護者は排便の度に介護者へ連絡しなければならず、被介護者に心理的な負担を強いることになるとともに、介護者への連絡にも手間がかかり面倒である；
という問題点があった。
【０００４】
従って、本発明の目的は、被介護者の排便の記録が自動的に採取され、病院や老人ホームなどの施設において、痴呆性の老人や児童が一人で排便を行う場合でも、トイレの利用時間や利用回数を確実に記録するトイレセンサ装置を提供することにある。
【０００５】
【課題を解決するための手段】
本願の請求項１に記載された発明は、利用者が便座に座っていることを検出するとデータ処理手段に検出信号を出力する検出手段と、
該検出手段に接続されたデータ処理手段とを備え、
該データ処理手段が、
利用者のトイレの利用回数および予め設定された利用者のトイレ使用時間の目安となる基準時間Ｔ１を記憶し、
前記検出手段からの検出信号に基づき利用者が便座に座っているか否かを判断し、
利用者が便座に座っている利用時間Ｔ２を測定し、
測定した利用時間Ｔ２が前記基準時間Ｔ１を越えている場合には記憶している利用回数に１を加算して新たな利用回数として記憶し、
記憶した新たな利用回数を表示することを特徴とするトイレセンサ装置である。
【０００６】
本願の請求項２に記載された発明は、操作者の操作に応じてリセット信号を上記処理手段に出力するリセット手段を更に備え、
上記処理手段は、
上記リセット手段からのリセット信号が入力すると、記憶している利用回数をリセットすることを特徴とするトイレセンサ装置である。
【０００７】
本願の請求項３に記載された発明は、利用者が便座に座っていることを検出するとデータ処理手段に検出信号を出力する検出手段と、
該検出手段に接続されたデータ処理手段とを備え、
該データ処理手段が、
利用者のトイレの利用時間ＴＳおよび予め設定された利用者のトイレ使用時間の目安となる基準時間Ｔ１を記憶し、
前記検出手段からの検出信号に基づき利用者が便座に座っているか否かを判断し、
利用者が便座に座っている利用時間Ｔ２を測定し、
測定した利用時間Ｔ２が前記基準時間Ｔ１を越えている場合には測定した利用時間Ｔ２を記憶している利用時間ＴＳに加算して新たな利用時間ＴＳとして記憶し、
記憶した新たな利用時間を表示することを特徴とするトイレセンサ装置である。
【０００８】
本願の請求項４に記載された発明は、操作者の操作に応じてリセット信号を上記データ処理手段に出力するリセット手段を更に備え、
上記データ処理手段は、
上記リセット手段からのリセット信号が入力すると、記憶している利用時間ＴＳをリセットすることを特徴とするトイレセンサ装置である。
【０００９】
本願の請求項５に記載された発明は、利用者が便座に座っていることを検出するとデータ処理手段に検出信号を出力する検出手段と、
該検出手段に接続されたデータ処理手段とを備え、
該データ処理手段が、
利用者のトイレの利用回数と利用時間ＴＳおよび予め設定された利用者のトイレ使用時間の目安となる基準時間Ｔ１を記憶し、
前記検出手段からの検出信号に基づき利用者が便座に座っているか否かを判断し、
利用者が便座に座っている利用時間Ｔ２を測定し、
測定した利用時間Ｔ２が前記基準時間Ｔ１を越えている場合には、記憶している利用回数に１を加算して新たな利用回数として記憶するとともに、測定した利用時間Ｔ２を記憶している利用時間ＴＳに加算して新たな利用時間ＴＳとして記憶し、
記憶した新たな利用回数及び利用時間を表示する
ことを特徴とするトイレセンサ装置である。
【００１０】
本願の請求項６に記載された発明は、操作者の操作に応じてリセット信号を上記データ処理手段に出力するリセット手段を更に備え、
上記データ処理手段は、
上記リセット手段からのリセット信号が入力すると、記憶している利用回数及び利用時間ＴＳをリセットすることを特徴とするトイレセンサ装置である。
【００１１】
本願の請求項７に記載された発明は、上記リセット手段は、操作が許可されている操作者の識別情報を照合情報として予め記憶し、
操作者が識別情報を入力すると、当該識別情報を照合情報と照合し、両者が一致したときにリセット信号を出力することを特徴とするトイレセンサ装置である。
【００１２】
本願の請求項８に記載された発明は、上記リセット手段は、複数の操作スイッチから構成され、この複数の操作スイッチが同時に操作されるか、あるいは、この複数の操作スイッチが同時に所定時間以上連続して操作される場合にリセット信号を出力することを特徴とするトイレセンサ装置である。
【００１３】
【発明の実施の形態】
本願に係るトイレセンサ装置は、検出手段、リセット手段、データ処理手段を具備している。
【００１４】
検出手段は、利用者が便座に座っていることを検出するとデータ処理手段に検出信号を出力する。この検出手段は、被介護者が便座に座っていることを検出するために便座にかかる負荷（圧力）を検出する感圧センサにより構成してもよく、また便座上面の被介護者が座る位置にリミットスイッチを設置し、このリミットスイッチの開閉により被介護者が便座に座っていることを検出するようにして構成してもよい。
【００１５】
リセット手段は、介護者（操作者）の操作に応じてリセット信号を出力する。このリセット手段は、単なるスイッチにより操作者の照合は行なわず誰でも操作できるようにして構成したり、あるいは操作者の識別情報、例えば、暗証番号や指紋、カードデータ等を照合情報として予め記憶し、操作者が識別情報を入力すると当該識別情報と照合情報を照合して操作者が予め登録してある正規の操作者（医者や介護者）であるか否かの確認を行い、正規の操作者である場合にのみリセット信号を出力するようにして構成してもよい。更に、リセット手段は、複数個の、例えば２つの操作スイッチで構成し、この２つの操作スイッチが同時に操作された場合、あるいは、２つの操作スイッチが同時に所定時間以上連続して操作された場合にリセット信号を出力するように構成してもよい。この場合には、痴呆性の老人や児童が故意または過失によりリセット手段を操作しても記憶している利用時間や利用回数のデータが失われる危険性がなくなる。
【００１６】
データ処理手段は、検出手段からの検出信号に基づき、利用者がトイレに座っている時間（利用時間Ｔ２）を測定する。そして、測定した利用時間Ｔ２が予め記憶している基準時間Ｔ１より長かった場合に、測定した利用時間Ｔ２を予め記憶している利用時間ＴＳに加算し新たな利用時間ＴＳとして記憶するとともに、利用回数に１を加算し新たな利用回数として記憶する。また、リセット手段からのリセット信号が入力すると、記憶している利用時間ＴＳおよび利用回数をリセットする。
【００１７】
このデータ処理手段は、複数の便座に設置された各検出手段からの検出信号を入力し、各検出手段毎の利用時間ＴＳおよび利用回数を記憶するようにしてもよい。また、各便座の利用者にあわせて各検出手段毎に基準時間Ｔ１を設定するようにしてもよい。さらに、各検出手段に対応するようにリセット手段を設け、リセット手段からのリセット信号が入力した場合は、対応する検出手段の利用時間ＴＳおよび利用回数をリセットするようにしてもよい。あるいは、リセット手段に利用時間および利用回数をリセットしたい検出手段を選択する選択手段を設け、リセット手段により選択された検出手段の利用時間ＴＳおよび利用回数をリセットするようにしてもよい。
【００１８】
なお、リセット手段とデータ処理手段を検出手段が設置されているトイレの出入口付近に設置し、介護者は、定期的に行う巡回の際にトイレの利用時間および利用回数を記録するようにしてもよく、また、リセット手段とデータ処理手段を介護者がいる管理センタに設置し、介護者は、管理センタで一括して各便座の利用時間ＴＳおよび利用回数を記録するようにしてもよい。
【００１９】
【実施例】
以下に、本願のトイレセンサ装置の実施例について説明する。
【構成】
図１にトイレセンサ装置の構成を示す。
図１において、トイレセンサ装置１は、検出手段１０、リセット手段２０、データ処理手段３０を具備している。
【００２０】
このうち、前記検出手段１０は、感圧センサにより構成され、特定の利用者（被介護者）が利用するトイレの便座に設置され、利用者が便座に座っていることを検出すると、便座に加えられる負荷（圧力）に応じた検出信号を前記データ処理手段３０に出力する。
【００２１】
前記リセット手段２０は、操作者（介護者）の操作に応じてリセット信号を前記データ処理手段３０に出力する。前記リセット手段２０は、単なるスイッチにより構成されており、操作者の照合を行なわず誰でも自由に操作できる。
【００２２】
前記データ処理手段３０は、前記検出手段１０とリセット手段２０に接続され、信号処理部３１、表示部３２、タイマ３３、利用時間記憶部３４、基準時間記憶部３５、カウンタ３６を備えている。
【００２３】
前記信号処理部３１は、前記検出手段１０から検出信号に基づき便座に所定の負荷が加えられ利用者が便座に座っていると判断すると、前記タイマ３３に計時開始信号を出力する。その後、前記検出手段１０からの検出信号に基づき便座に加えられていた負荷がなくなり利用者が便座より立ち上がったと判断すると、前記タイマ３３に計時終了信号を出力するとともに前記基準時間記憶部３５に記憶している基準時間Ｔ１と前記タイマ３３により計時した利用時間Ｔ２を比較する。そして、利用時間Ｔ２が基準時間Ｔ１よりも長い場合には前記カウンタ３６にカウント信号を出力し、前記利用時間記憶部３４に記憶している利用時間ＴＳに前記タイマ３３により計時した利用時間Ｔ２を加算したものを新たな利用時間ＴＳとして前記利用時間記憶部３４に出力した後、前記利用時間記憶部３４に記憶した新たな利用時間と前記カウンタ３６に記憶した新たな利用回数を前記表示部３２に出力し、前記タイマ３３にリセット信号を出力する。さらに、前記リセット手段２０からリセット信号が入力すると、前記利用時間記憶部３４およびカウンタ３６にリセット信号を出力する。
【００２４】
前記表示部３２は、前記信号処理部３１から出力される利用時間および利用回数を表示する。
【００２５】
前記タイマ３３は、前記信号処理部３１からの計時開始信号が入力すると計時を開始し、前記信号処理部３１からの計時終了信号が入力すると計時を終了するとともに計時した利用時間Ｔ２を前記信号処理部３１に出力し、前記信号処理部３１からのリセット信号が入力すると記憶している利用時間はリセットされる。
【００２６】
前記利用時間記憶部３４は、前記信号処理部３１から利用時間ＴＳが入力すると当該利用時間ＴＳを記憶する。なお、前記リセット手段２０が操作されるまでに利用された利用時間の合計を記憶するようにしているが、これに限定されるものではなく、利用したとき毎の利用時間を記憶したり、あるいは、利用した時刻（前記検出手段１０に圧力が加えられた時刻と前記検出手段１０に圧力が加えられなくなった時刻）を記憶するようにしてもよい。
【００２７】
前記基準時間記憶部３５は、予め設定された（決められた）利用者のトイレ使用時間の目安となる基準時間Ｔ１を記憶している。
【００２８】
前記カウンタ３６は、利用者のトイレの利用回数を記憶するが、前記信号処理部３１からのカウント信号が入力すると、利用回数に１を加算し、前記信号処理部３１からのリセット信号が入力すると利用回数はリセットされ、初期値、例えば「０」に戻る。
【００２９】
［動  作］
次に、データ処理手段３０の動作を示す図２のフローチャート及びトイレセンサ装置１の動作を示す図３のタイムチャートを用いてトイレセンサ装置の動作を説明する。
【００３０】
データ処理手段３０を構成している信号処理部３１は、起動すると利用時間記憶部３４に記憶している利用時間ＴＳとカウンタ３６に記憶している利用回数を読み込み、表示部３２に出力する。なお、データ処理手段３０の起動時は、利用時間記憶部３４に記憶されている利用時間ＴＳは０分であり、またカウンタ３６に記憶されている利用回数は０回である。
【００３１】
今、被介護者がトイレに座ると、便座に配設された検出手段（感圧センサ）１０に圧力が加わり、データ処理手段３０の信号処理部３１において、この圧力の変化が検出される。
【００３２】
信号処理部３１では、検出手段１０からの検出信号に基づき、便座に被介護者が座ったと判断すると、タイマ３３に計時開始信号を出力する（Ｓ１１）。
【００３３】
タイマ３３は、信号処理部３１からの計時開始信号が入力すると、計時を開始する（Ｓ１２）。
【００３４】
その後、被介護者が立ち上がり、便座へ加わっていた圧力がなくなると、データ処理手段３０の信号処理部３１にて再度圧力の変化が検出される（Ｓ１３）。
【００３５】
信号処理部３１では、検出手段１０からの検出信号に基づき、被介護者が立ち上がり便座に加わっていた圧力がなくなったことを検出すると、タイマ３３に計時終了信号を出力する。
【００３６】
タイマ３３は、信号処理部３１からの計時終了信号が入力すると、計時を終了するとともに計時した利用時間Ｔ２を信号処理部３１に出力する。
【００３７】
信号処理部３１は、タイマ３３から出力される利用時間Ｔ２が入力すると、この計時した時間（タイマ時間）Ｔ２と基準時間記憶部３５に記憶している基準時間Ｔ１とを比較する（Ｓ１４）。そして、タイマ３３で計時した利用時間（タイマ時間）Ｔ２が基準時間Ｔ１よりも長い場合は、カウンタ３６にカウント信号を出力するとともに、利用時間記憶部３４に記憶している利用時間ＴＳを読み出し、タイマ３３で計時した利用時間Ｔ２を加算して利用時間記憶部３４に出力する。
【００３８】
カウンタ３６は、信号処理部３１からのカウント信号が入力すると、記憶している利用回数に１を加算し、新たな利用回数として記憶する（Ｓ１５）。
【００３９】
利用時間記憶部３４は、信号処理部３１から利用時間ＴＳが入力すると、当該利用時間を新たな利用時間（利用時間記憶部３４に記憶している利用時間ＴＳにタイマ３３の計時時間Ｔ２を加算して得られる時間）として記憶する（Ｓ１６）。
【００４０】
信号処理部３１は、利用時間記憶部３４およびカウンタ３６にそれぞれ記憶した新たな利用時間と利用回数を読み出し、表示部３２に出力するとともに（Ｓ１７）、タイマ３３にリセット信号を出力する（Ｓ１８）。
【００４１】
表示部３２は、信号処理部３１から入力した新たな利用時間および利用回数を表示する。
【００４２】
タイマ３３は、リセット信号が入力するとリセットされる。
【００４３】
なお、信号処理部３１は、タイマ３３で計時した利用時間Ｔ２と基準時間記憶部３５に記憶している基準時間Ｔ１とを比較した結果、タイマ３３で計時した利用時間Ｔ２が基準時間Ｔ１よりも短い場合は、タイマ３３にリセット信号を出力し、最初の処理に戻る。
【００４４】
介護者は、定期的に行う巡回の際に、データ処理手段３０の表示部３２の表示を確認し、被介護者のトイレの利用回数や利用時間を記録する。そして、データ処理手段３０に記憶された利用回数および利用時間をリセットするため、リセット手段２０を操作する。
【００４５】
リセット手段２０は、介護者により操作されると、データ処理手段３０に対しリセット信号を出力する（Ｓ１９）。
【００４６】
データ処理装置３０の信号処理部３１は、リセット手段２０からのリセット信号が入力すると、当該リセット信号を利用時間記憶部３４およびカウンタ３６に出力する。
【００４７】
利用時間記憶部３４は、信号処理部３１からのリセット信号が入力すると、記憶している利用時間ＴＳをリセットする（Ｓ２０）。
【００４８】
カウンタ３６は、信号処理部３１からのリセット信号が入力すると、記憶している利用回数をリセットする（Ｓ２１）。
【００４９】
信号処理部３１は、利用時間記憶部３４およびカウンタ３６にリセット信号を出力した後、リセットした利用時間記憶部３４に記憶している利用時間ＴＳおよびカウンタ３６に記憶している利用回数を読み込み、表示部３２に出力する。
【００５０】
表示部３２は、信号処理部３１から入力した利用時間および利用回数を表示する。
【００５１】
【発明の効果】
本発明は以上の如く構成され、本発明によれば、自動的に被介護者の排便の記録を取ることができるため、病院や老人ホームなどの施設において、児童や痴呆性の老人が一人で排便を行った場合であっても、トイレの利用時間や利用回数を手間をかけずに確実に記録することができる。
【図面の簡単な説明】
【図  １】本発明に係るトイレセンサ装置の構成を示すブロック図である。
【図  ２】図１に示すトイレセンサ装置を構成しているデータ処理手段の動作を示すフローチャートである。
【図  ３】図１に示すトイレセンサ装置の動作を示すタイムチャートである。
【符号の説明】
１    トイレセンサ装置
１０    検出手段
２０    リセット手段
３０    データ処理手段
３１    信号処理部
３２    表示部
３３    タイマ
３４    利用時間記憶部
３５    基準時間記憶部
３６    カウンタ
【図１】
0004174698.tif 000002
【図２】
0004174698.tif 000003
【図３】
0004174698.tif 000004